【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
Ｕ字状の手押し杆を前後に揺動可能に装着し、手押し杆を対面状態或いは背面状態に固定して使用し得るようにしたベビーカーにおいて、
前脚及び後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前脚側及び後脚側のロック部材にそれぞれ両端部が連結され、前脚及び後脚内に挿通されたリードワイヤと、
前脚に摺動可能に装着されたロック切り換え操作部材と、
前脚内において上記ロック切り換え操作部材と共に上下移動可能であり、上記前脚及び後脚内に挿通されているリードワイヤが連結された連結具と、を有し、
上記ロック切り換え操作部材の摺動により、前輪側、或いは後輪側のロック部材を選択的に対応するキャスター軸に設けられた凹部に係合するようになっており、
前記前輪を支持する前記キャスター軸は、前記キャスターホルダーの下方に設けられ、且つ、前記キャスターホルダーに対して上下方向に摺動可能であり、
前記前輪を支持する前記キャスター軸には、位置固定ピンが進退自在に設けられ、
前記前輪を支持する前記キャスター軸と係合する前記キャスターホルダー内には、前記キャスター軸が前記キャスターホルダーに対して下方に摺動した際に、前記位置固定ピンに係合するようになる凹溝が設けられ、
前記位置固定ピンと前記凹溝との係合によって、前記キャスター軸の前記キャスターホルダーに対する回動が規制される、ことを特徴とするベビーカー。
【請求項２】
前脚及び後脚内に挿通されたリードワイヤは連結具により連結されており、その連結具と前脚との間に、前脚内に挿通されたリードワイヤを介して前脚側のロック部材を上方に付勢するスプリングが設けられていることを特徴とする、請求項１に記載のベビーカー。
【請求項３】
Ｕ字状の手押し杆を前後に揺動可能に装着し、手押し杆を対面状態或いは背面状態に固定して使用し得るようにしたベビーカーにおいて、
前脚及び後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前脚及び後脚内に挿通されたリードワイヤと、
前脚に摺動可能に装着されたロック切り換え操作部材と、
前脚内において上記ロック切り換え操作部材と共に上下移動可能であり、上記前脚及び後脚内に挿通されているリードワイヤが連結された連結具と、を有し、
前記リードワイヤは、前記前脚側のロック部材と連結具との間、並びに、前記後脚側のロック部材と連結具との間を延び、
上記ロック切り換え操作部材の摺動により、前輪側、或いは後輪側のロック部材を選択的に対応するキャスター軸に設けられた凹部に係合するようになっており、
前記前輪を支持する前記キャスター軸は、前記キャスターホルダーの下方に設けられ、且つ、前記キャスターホルダーに対して上下方向に摺動可能であり、
前記前輪を支持する前記キャスター軸には、位置固定ピンが進退自在に設けられ、
前記前輪を支持する前記キャスター軸と係合する前記キャスターホルダー内には、前記キャスター軸が前記キャスターホルダーに対して下方に摺動した際に、前記位置固定ピンに係合するようになる凹溝が設けられ、
前記位置固定ピンと前記凹溝との係合によって、前記キャスター軸の前記キャスターホルダーに対する回動が規制される、ことを特徴とするベビーカー。
【請求項４】
ロック切り替え操作部材には、手押し杆が前方に揺動されたときその手押し杆により押圧され、ロック切り替え操作部材を下方に摺動させる突片が設けられている、ことを特徴とする、請求項１〜３のいずれか一項に記載のベビーカー。
【請求項５】
前記手押し杆は、前記ロック切り替え操作部材の前記突片に当接する突部を有し、
前記突部は、当該突部が設けられている位置での前記手押し杆の長手方向と交差する方向へ向けて、前記手押し杆から突出している、ことを特徴とする請求項４に記載のベビーカー。
【請求項６】
前記ロック部材は、上方に摺動した際に、前記キャスターホルダーの側部に内蔵されており、下方に摺動した際に、前記キャスターホルダーの下部から下方に突出し、前記キャスターホルダーの下方に設けられたキャスター軸の凹部に係合し、
前記ロック部材は、前記キャスターホルダーの周囲から側方に突出していない、ことを特徴とする請求項１〜５のいずれか一項に記載のベビーカー。
【請求項７】
前記キャスター軸が前記キャスターホルダーに対して下方に摺動した際に、前記キャスターホルダーの前記ロック部材と前記キャスター軸の前記凹部との係合が解除される、ことを特徴とする請求項１〜６のいずれか一項に記載のベビーカー。
【請求項８】
前記後輪を支持する前記キャスター軸は、前記手押し杆が後方に揺動している際に、前記キャスターホルダーに対する回動を規制される、ことを特徴とする請求項１〜７のいずれか一項に記載のベビーカー。
【請求項９】
Ｕ字状の手押し杆を前後に揺動可能に装着し、手押し杆を対面状態或いは背面状態に固定して使用し得るようにした折り畳み可能なベビーカーにおいて、
左右一対のアームレストと、
上端を前記アームレストに枢着された左右一対の前脚と、
上端を前記アームレストに枢着された左右一対の後脚と、
前記アームレストの後端に枢着された左右一対のパイプと、
パイプの下部に固着された左右一対の後脚支持部材と、
前記前脚の中間部と前記後脚支持部材との間を延び且つ前記前脚の中間部および前記後脚支持部材のそれぞれに対して揺動可能な左右一対の連結バーと、
前記後脚および前記後脚支持部材にそれぞれ枢着された左右一対のブラケットと、を有し、
前記手押し杆は、ベビーカーの展開時の側面視において前記後脚支持部材のうちの前記後脚を越えて前記前脚の側へ延びた部分に、枢着されている、ことを特徴とするベビーカー。
【請求項１０】
Ｕ字状の手押し杆を前後に揺動可能に装着し、手押し杆を対面状態或いは背面状態に固定して使用し得るようにした折り畳み可能なベビーカーにおいて、
アームレストと、
上端を前記アームレストに枢着された前脚と、
上端を前記アームレストに枢着された後脚と、
前記アームレストの後端に枢着されたパイプと、
パイプの下部に固着された後脚支持部材と、
前記前脚の中間部と前記後脚支持部材との間を延び且つ前記前脚の中間部および前記後脚支持部材のそれぞれに対して揺動可能な連結バーと、
前記後脚および前記後脚支持部材にそれぞれ枢着されたブラケットと、を有し、
前記手押し杆は、ベビーカーの展開時の側面視において前記後脚支持部材のうちの前記後脚を越えて前記前脚の側へ延びた部分に、枢着されている、ことを特徴とするベビーカー。
【請求項１１】
Ｕ字状の手押し杆を前後に揺動可能に装着し、手押し杆を対面状態或いは背面状態に固定して使用し得るようにした折り畳み可能なベビーカーにおいて、
左右一対のアームレストと、
上端を前記アームレストに枢着された左右一対の前脚と、
上端を前記アームレストに枢着された左右一対の後脚と、
前記アームレストの後端に枢着された左右一対のパイプと、
パイプの下部に固着された左右一対の後脚支持部材と、
前記前脚の中間部と前記後脚支持部材との間を延び且つ前記前脚の中間部および前記後脚支持部材のそれぞれに対して揺動可能な左右一対の連結バーと、
前記後脚および前記後脚支持部材にそれぞれ枢着された左右一対のブラケットと、を有し、
前記手押し杆の前記後脚支持部材への枢着箇所は、ベビーカーの展開時の側面視において、前記前脚および前記後脚の間に位置している、ことを特徴とするベビーカー。
【請求項１２】
Ｕ字状の手押し杆を前後に揺動可能に装着し、手押し杆を対面状態或いは背面状態に固定して使用し得るようにした折り畳み可能なベビーカーにおいて、
アームレストと、
上端を前記アームレストに枢着された前脚と、
上端を前記アームレストに枢着された後脚と、
前記アームレストの後端に枢着されたパイプと、
パイプの下部に固着された後脚支持部材と、
前記前脚の中間部と前記後脚支持部材との間を延び且つ前記前脚の中間部および前記後脚支持部材のそれぞれに対して揺動可能な連結バーと、
前記後脚および前記後脚支持部材にそれぞれ枢着されたブラケットと、を有し、
前記手押し杆の前記後脚支持部材への枢着箇所は、ベビーカーの展開時の側面視において、前記前脚および前記後脚の間に位置している、ことを特徴とするベビーカー。